(57)【特許請求の範囲】
【請求項１】
基準位置から所定長の任意領域を空けて第１のフオーマツトによる初期化領域を所定長形成するようになされた第１の初期化方法によつて、上記基準位置から上記任意領域と上記第１のフオーマツトによる初期化領域とを合わせた長さ以下の長さで第２のフオーマツトによる初期化領域を形成するようになされた第２の初期化方法で初期化されている記録媒体を初期化する記録媒体の初期化方法であつて、
上記任意領域に残る既存のデータを消去して、上記第１のフオーマツトによる初期化領域を形成する
ことを特徴とする記録媒体の初期化方法。
【請求項２】
上記第１のフオーマツトは、コンピユータ用のデータをテープ状記録媒体に記録するフオーマツトであり、
上記第２のフオーマツトは、オーデイオデータをテープ状記録媒体に記録するフオーマツトである
ことを特徴とする請求項１に記載の記録媒体の初期化方法。
【請求項３】
基準位置から所定長の任意領域を空けて第１のフオーマツトによる初期化領域を所定長形成するようになされた第１の初期化方法で初期化されている記録媒体を、上記基準位置から第２のフオーマツトによる初期化領域を形成するようになされた第２の初期化方法によつて初期化する記録媒体の初期化方法であつて、
上記第２の初期化領域を、上記任意領域と上記第１のフオーマツトによる初期化領域とを合わせた長さ以上の長さで形成する
ことを特徴とする記録媒体の初期化方法。
【請求項４】
上記第１のフオーマツトは、コンピユータ用のデータをテープ状記録媒体に記録するフオーマツトであり、
上記第２のフオーマツトは、オーデイオデータをテープ状記録媒体に記録するフオーマツトである
ことを特徴とする請求項３に記載の記録媒体の初期化方法。
【発明の詳細な説明】
【０００１】
【目次】
以下の順序で本発明を説明する。
【０００２】
発明の属する技術分野
従来の技術（図６）
発明が解決しようとする課題
課題を解決するための手段
発明の実施の形態
（１）データストリーマ装置の構成（図１）
（２）データフオーマツトによる記録媒体の初期化（図２及び図３）
（３）オーデイオフオーマツトによる記録媒体の初期化（図４及び図５）
（４）実施の形態の動作及び効果
（５）他の実施の形態
発明の効果
【０００３】
【発明の属する技術分野】
本発明は記録媒体の初期化方法に関し、例えば音楽（オーデイオ）データ又はコンピユータデータのいずれかを選択して記録する記録装置における記録媒体の初期化方法に適用して好適なものである。
【０００４】
【従来の技術】
従来、磁気テープに対してオーデイオデータを記録、再生する装置として、いわゆるＤＡＴ(Digital Audio Taperecorder)と呼ばれる記録再生装置がある。このＤＡＴは、回転磁気ヘツドを用いて磁気テープの長手方向に対して順次斜めに形成される記録トラツクにオーデイオデータを記録して行く。
【０００５】
このＤＡＴ装置によつてオーデイオデータを磁気テープに記録する場合、当該磁気テープをオーデイオデータのフオーマツト（以下これをＤＡＴオーデイオフオーマツトと呼ぶ）で初期化する必要がある。この場合、図６（Ａ）に示すように、リーダテープを除いた磁気テープの先頭部分ＢＯＭから所定長だけＤＡＴオーデイオフオーマツト用のリードインエリアＬＩA が形成される。このリードインエリアＬＩA には、当該磁気テープがＤＡＴオーデイオデータを記録するものであることを表すフオーマツトの識別コード（sub-ID) が記録される。因みに、当該リードインエリアＬＩA に続くメインデータ記録領域ＭＡＩＮA にはオーデイオデータが記録される。このとき、オーデイオデータが記録される各記録トラツクのサブコード情報記録領域にはＤＡＴオーデイオフオーマツトを表す識別コード（sub-ID) が、リードインエリアＬＩA に引き続いて記録されて行く。
【０００６】
【発明が解決しようとする課題】
ところで、コンピユータ装置においてハードデイスク等に書き込まれたデータをデータストリーマ装置と呼ばれるバツクアツプ用のデータ記録再生装置でＤＡＴ用の磁気テープに記録することにより、データを保護するようになされたものがある。このデータストリーマ装置は、回転ヘツドを用いて磁気テープの長手方向に順次斜めに形成される記録トラツクに、コンピユータ用のデイジタルテータを記録するようになされている。
【０００７】
この場合、データストリーマ装置においてコンピユータ用のデイジタルデータを専用のフオーマツト（ＤＤＳフオーマツト）で磁気テープに記録するようになされている。従つて、当該磁気テープをデータストリーマ装置に装填した際、これをＤＤＳフオーマツト用に初期化する必要がある。この初期化では、図６（Ｂ）に示すように、リーダテープを除く磁気テープの先頭部分ＢＯＭから所定長だけデバイスエリアＤＥＶと呼ばれる、何を書いても良い（又は何も書かれない）領域を形成した後、これに続いて実質的なテープの先頭部分ＢＯＴとする位置から所定長だけＤＤＳフオーマツト用のリードインエリアＬＩD が形成される。
【０００８】
リードインエリアＬＩD には、当該磁気テープがＤＤＳフオーマツトのデータを記録するものであることを表すフオーマツトの識別コード（sub-ID) が記録される。因みに、当該リードインエリアＬＩD に続くメインデータ記録領域ＭＡＩＮD にはＤＤＳフオーマツトのデータが記録される。このとき、データが記録される各記録トラツクのサブコード情報記録領域にはＤＤＳフオーマツトを表す識別コード（sub-ID) が、リードインエリアＬＩD に引き続いて記録されて行く。
【０００９】
かかるデータストリーマ装置では、ＤＡＴ用の磁気テープにＤＤＳフオーマツトでコンピユータ用のデータを記録再生するデータモードと、当該ＤＡＴ用の磁気テープにＤＡＴオーデイオフオーマツトでオーデイオデータを記録再生するオーデイオモードとをそれぞれ切り換えるようになされたものが考えられている。このような２つのモードを有するデータストリーマ装置において、装填された磁気テープをいずれかのモードで初期化する場合、当該磁気テープに既に書かれているデータ内容（初期化内容）によつては、正しく初期化を行うことが困難になる問題がある。
【００１０】
第１に、データストリーマ装置においてＤＤＳフオーマツトでの初期化を行う場合、何も書かれないデバイスエリアＤＥＶを当該初期化の記録対象とせず、デバイスエリアＤＥＶの終端位置ＢＯＴから当該初期化による識別コード（sub-ID) が書かれることにより、既にＤＡＴオーデイオフオーマツトで初期化された磁気テープを改めてＤＤＳフオーマツトで初期化する場合、図６（Ｃ）に示すように、既存のＤＡＴオーデイオフオーマツト用のリードインエリアＬＩA と、当該初期化によつて改めて記録されたＤＤＳフオーマツト用のリードインエリアＬＩD が混在することになる。因みに、ＤＡＴオーデイオフオーマツトによる初期化が既になされていた磁気テープのメインデータ記録領域ＭＡＩＮA に、既にオーデイオデータが記録されている場合、図６（Ｃ）においてＤＤＳフオーマツトによる初期化が完了した状態では、混在する２つのリードインエリアＬＩA 及びＬＩD の間に、オーデイオデータの消し残りが存在することになる。このオーデイオデータには、図６（Ａ）について上述したようにそのサブコード情報記録領域にＤＡＴオーデイオフオーマツトを表す識別コード（sub-ID) が書かれている。
【００１１】
従つて、図６（Ｃ）のように２つのリードインエリアＬＩA 及びＬＩD が混在する磁気テープを巻き戻した状態でオーデイオ用のＤＡＴ装置に装填すると、ＤＤＳフオーマツト用のリードインエリアＬＩD の先頭部分ＢＯＴ以降がＤＤＳフオーマツトで初期化されている（リードインエリアＬＩD が形成されている）にもかかわらず、装置側でこれを認識し得ず、当該磁気テープにＤＡＴオーデイオフオーマツトのオーデイオデータを記録してしまう問題があつた。
【００１２】
また、当該２つのリードインエリアＬＩA 及びＬＩD が混在する磁気テープをオーデイオモード及びデータモード切換可能なデータストリーマ装置に装填すると、当該データストリーマ装置がＤＤＳフオーマツトのデバイスエリアＤＥＶ及びリードインエリアＬＩD の双方をチエツクするため、混在する２つのリードインエリアＬＩA 及びＬＩD によつて２つのフオーマツト（ＤＡＴオーデイオフオーマツト及びＤＤＳフオーマツト）を認識することになり、フオーマツトを特定することが困難になる。
【００１３】
また、第２に、オーデイオ用のＤＡＴ装置や、データストリーマ装置のオーデイオモードにおいてＤＡＴオーデイオフオーマツトでの初期化を行う場合、図６（Ａ）について上述したように、磁気テープの先頭部分ＢＯＭからリードインエリアＬＩA を形成して当該初期化による識別コード（sub-ID) が書かれることにより、既にＤＤＳフオーマツトで初期化された磁気テープを改めてＤＡＴオーデイオフオーマツトで初期化する場合、図６（Ｃ）に示すように、既存のＤＤＳフオーマツト用のリードインエリアＬＩD と、当該初期化によつて改めて記録されたＤＡＴオーデイオフオーマツト用のリードインエリアＬＩA が混在することになる。
【００１４】
従つて、図６（Ｃ）のように２つのリードインエリアＬＩA 及びＬＩD が混在する磁気テープをコンピユータデータ専用のデータストリーマ装置に装填すると、当該デーストリーマ装置は、ＤＤＳフオーマツトにおけるデバイスエリアＤＥＶに続くリードインエリアＬＩD の先頭部分ＢＯＴからフオーマツトの確認を行うため、当該磁気テープをＤＤＳフオーマツトで初期化されたものと誤認識し、当該磁気テープにＤＤＳフオーマツトのデータを記録してしまう問題があつた。
【００１５】
また、当該２つのリードインエリアＬＩA 及びＬＩD が混在する磁気テープをオーデイオモード及びデータモード切換可能なデータストリーマ装置に装填すると、当該データストリーマ装置がＤＤＳフオーマツトのデバイスエリアＤＥＶ及びリードインエリアＬＩD の双方をチエツクするため、混在する２つのリードインエリアＬＩA 及びＬＩD によつて２つのフオーマツト（ＤＡＴオーデイオフオーマツト及びＤＤＳフオーマツト）を認識することになり、フオーマツトを特定することが困難になる。
【００１６】
本発明は以上の点を考慮してなされたもので、記録媒体の既存の初期化データが、新たな初期化後に認識されないようにし得る記録媒体の初期化方法を提案しようとするものである。
【００１７】
【課題を解決するための手段】
かかる課題を解決するため本発明においては、基準位置から所定長の任意領域を空けて第１のフオーマツトによる初期化領域を所定長形成するようになされた第１の初期化方法によつて、基準位置から任意領域と第１のフオーマツトによる初期化領域とを合わせた長さ以下の長さで第２のフオーマツトによる初期化領域を形成するようになされた第２の初期化方法で初期化されている記録媒体を初期化する際に、任意領域に記録されている既存のデータを消去して、第１のフオーマツトによる初期化領域を形成するようにしたことにより、第１の初期化方法で初期化後の記録媒体に第２のフオーマツトによる初期化領域が残らない。
【００１８】
また本発明によれば、基準位置から所定長の任意領域を空けて第１のフオーマツトによる初期化領域を所定長形成するようになされた第１の初期化方法で初期化されている記録媒体を、基準位置から第２のフオーマツトによる初期化領域を形成するようになされた第２の初期化方法によつて初期化する際に、第２の初期化領域を、任意領域と第１のフオーマツトによる初期化領域とを合わせた長さ以上の長さで形成するようにしたことにより、第２の初期化方法で初期化後の記録媒体に第１のフオーマツトによる初期化領域が残らない。
【００１９】
【発明の実施の形態】
以下図面について、本発明の一実施の形態を詳述する。
【００２０】
（１）データストリーマ装置の構成
図１において１０は全体としてデータ記録再生システムを示し、ホストコンピユータ１１に、ＳＣＳＩ(Small Computer System Interface) バスＢＵＳを介してデータストリーマ装置２１が接続されている。このデータストリーマ装置２１は、いわゆるＤＤＳフオーマツトと呼ばれる記録フオーマツトで磁気テープ上にデイジタルデータを高密度で記録、再生するデータモードと、ＤＡＴの記録フオーマツト（以下これをＤＡＴオーデイオフオーマツトと呼ぶ）でオーデイオデータを磁気テープ上に記録、再生するオーデイオモードとを有し、磁気テープ上に記録又は再生するデータのなかのサブコード情報（フオーマツトの識別コード：Sub-ID) に基づいてモードを切り換えるようになされている。
【００２１】
外部からホストコンピユータ１１に入力されるオーデイオ信号ＳINをデータストリーマ装置２１に装填された磁気テープ上に記録する場合、ホストコンピユータ１１は、記録用のオーデイオ信号（記録オーデイオ信号）ＳINを A/D,D/Aコンバータ１２を介してデイジタル信号に変換した後、これをデータコントローラ１３を介して一旦バツフアＲＡＭ１５にフレーム単位で格納する。記録オーデイオデータの１フレームとは、回転ヘツドを介して磁気テープ上に記録する際の、２トラツク分のデータで構成される。
【００２２】
バツフアＲＡＭ１５に格納された記録オーデイオデータは、システムコントローラ１６の制御によつて、１フレームごとに読み出され、データコントローラ１３及びインターフエースコントローラ１４を介してＳＣＳＩバスＢＵＳに送出されデータストリーマ装置２１に転送される。
【００２３】
データストリーマ装置２１に転送された記録オーデイオデータは、システムコントローラ２５の制御によつてインターフエースコントローラ２２、データ圧縮エンジン２３及びデータコントローラ２４を介して、一旦、バツフアＲＡＭ２８にフレーム単位で格納される。因みに、データ圧縮エンジン２３は、記録しようとするデータがＤＤＳフオーマツトのデイジタルデータである場合（データモード時）に、これを圧縮するものであり、オーデイオモードの場合には記録オーデイオデータに対して圧縮動作しないようになされている。
【００２４】
バツフアＲＡＭ２８内に格納されたフレーム単位の記録オーデイオデータは、データコントローラ２４によつてその格納順に読み出され、信号処理回路２９に送出される。
【００２５】
メカニズム部３５は、装填されたカセツトテープの磁気テープを走行させるキヤプスタン及び、磁気ヘツドを設けた回転ドラム等を有し、それぞれを駆動するモータがメカニズムコントローラ３１の制御のもとにサーボ＆モータドライブ回路３２によつて駆動される。メカニズムコントローラ３１は、システムコントローラ２５による制御のもとにデータコントローラ２４との間で制御情報の授受を行い、バツフアＲＡＭ２８から記録オーデイオデータが読み出された際に、メカニズム部３５を駆動制御して、当該記録オーデイオデータを磁気テープ上に記録する。
【００２６】
また、オーデイオデータが記録された磁気テープから当該オーデイオデータを再生する場合、データストリーマ装置１２のシステムコントローラ２５は、メカニズムコントローラ３１を介してメカニズム部３５を再生制御する。
【００２７】
メカニズム部３５から再生増幅回路３４を介して信号処理回路２９に入力された再生オーデイオデータは、当該信号処理回路２９において再生復調、エラー訂正処理等が施された後、データコントローラ２４を介して一旦バツフアＲＡＭ２８にフレーム単位で格納され、ＤＡＴのデータ転送速度で読み出されることによつてメカニズム部３５の再生速度及びＤＡＴデータの転送速度の差を吸収し得るようになされている。
【００２８】
再生時においてバツフアＲＡＭ２８は、記録時と同様にして、フレーム単位の格納領域に順次再生オーデイオデータを格納して行く。バツフアＲＡＭ２８内に格納されたフレーム単位の再生オーデイオデータは、データコントローラ２４によつてその格納順に読み出され、データ圧縮エンジン２３を介してインターフエースコントローラ２２に送出される。
【００２９】
因みに、データ圧縮エンジン２３は、再生されたデータがＤＤＳフオーマツトのデイジタルデータである場合（データモード時）に、圧縮記録されていた当該データを伸長するものであり、オーデイオモードの場合には再生オーデイオデータに対して伸長処理を実行しないようになされている。データモード又はオーデイオモードのどちらで動作するかは、ホストからコマンドで指定され、オーデイトモードを指定されたときのみ、オーデイオフオーマツトで記録されたテープの再生が可能となる。
【００３０】
インターフエースコントローラ２２に送出された再生オーデイオデータは、ＳＣＳＩバスＢＵＳを介してホストコンピユータ１１にＤＡＴのデータ転送速度で転送される。ホストコンピユータ１１に転送された再生オーデイオデータは、イターフエースコントローラ１４及びデータコントローラ１３を介して一旦バツフアＲＡＭ１５にフレーム単位で格納された後、 A/D,D/Aコンバータ１２を介してアナログ信号に変換され、再生オーデイオ信号ＳOUT として外部に出力される。
【００３１】
（２）データフオーマツトによる記録媒体の初期化
データストリーマ装置２１のシステムコントローラ２５は、メカニズム部３５にカセツトテープが装填されると、当該カセツトテープ内の磁気テープに対してデータフオーマツト（ＤＤＳフオーマツト）又はオーデイオフオーマツト（ＤＡＴオーデイオフオーマツト）による初期化を実行する。この場合、ユーザが所定の入力手段（図示せず）によつてＤＤＳフオーマツトを指定することにより、システムコントローラ２５は磁気テープに対して図２に示すＤＤＳフオーマツトでの初期化を実行開始する。
【００３２】
すなわちシステムコントローラ２５はステツプＳＰ１から当該処理手順に入り、ステツプＳＰ２において磁気テープをリーダテープを除く先頭部分ＢＯＭまで巻き戻す。この場合、メカニズム３５に設けられた例えば光学検出器等を用いてリーダテープを検出することにより、当該テーダテープに続く磁気テープの先頭位置ＢＯＭが検出される。
【００３３】
この実施の形態の場合、装填された磁気テープには図３（Ａ）に示すように、既にＤＡＴオーデイオフオーマツトでオーデイオデータが記録されているものとする。ステツプＳＰ２において磁気テープが先頭位置まで巻き戻されると、システムコントローラ２５はステツプＳＰ３に移つて、既存のＤＡＴオーデイオフオーマツト用のリードインエリアＬＩA （図３（Ａ））のデータ（識別コード（sub-ID) 等）を消去しながら、当該消去された領域にＤＤＳフオーマツトの識別コード（sub-ID) を記録して行く。
【００３４】
さらにシステムコントローラ２５は、続くステツプＳＰ４に移つてＤＤＳフオーマツトの識別コード（sub-ID) を記録中の領域が、ＤＤＳフオーマツトで決められているデバイスエリアＤＥＶの終端部分ＢＯＴに達しているか否かを判断する。ここで、デバイスエリアＤＥＶの長さはテープ長で決められており、メカニズム部３５（図１）の磁気テープ走行用リールに設けられたＦＧ(Frequency Generator) からの出力をカウントすることによつて当該デバイスエリアＤＥＶの終端を検出することができる。
【００３５】
従つて、ステツプＳＰ４において否定結果が得られると、このことは識別コード（sub-ID) を記録中の磁気テープが未だデバイスエリアＤＥＶの終端位置ＢＯＴに達していないことを表しており、このときシステムコントローラ２５は当該処理ステツプＳＰ４の判断処理を、肯定結果が得られるまで繰り返す。
【００３６】
ステツプＳＰ４において肯定結果が得られると、このことはＤＤＳフオーマツトの識別コード（sub-ID) を記録中の磁気テープがデバイスエリアＤＥＶの終端位置ＢＯＴに達したこと、すなわち図３（Ｂ）に示すように磁気テープＴＡＰＥに対してデバイスエリアＤＥＶを形成完了したを表しており、このときシステムコントローラ２５は続くステツプＳＰ５に移つて、デバイスエリアＤＥＶの終端位置ＢＯＴ（図３（Ｂ））から、ＤＤＳフオーマツトの識別コード（sub-ID) をデバイスエリアＤＥＶに引き続き記録することにより、ＤＤＳフオーマツト用のリードインエリアＬＩD （図３（Ｂ））を形成する。
【００３７】
このリードインエリアＬＩD には、初期化後の記録回数、再生回数及びエラー発生回数等の履歴情報が記録されるようになされている。但し、当該初期化時においては使用履歴がないことにより、これらの履歴情報は記録されない。
【００３８】
ステツプＳＰ５においてリードインエリアＬＩDの形成が開始されると、システムコントローラ２５はステツプＳＰ６に移つて、リードインエリアＬＩDを形成中の磁気テープがリードインエリアＬＩDの終端位置まで達したか否かを判断する。ここで、リードインエリアシＬＩDの長さは、当該リードインエリアＬＩDに記録されるフレーム数で規定されており、システムコントローラ２５は当該フレーム数を記録したフレーム数をシステムコントローラが自分で数えることにより、リードインエリアＬＩDの終端の物理的位置を検出することができる。
【００３９】
従つてシステムコントローラ２５はリードインエリアＬＩD の形成が完了するまで当該ステツプＳＰ６の処理を繰り返す。かくしてステツプＳＰ６において肯定結果が得られると、このことは図３（Ｂ）に示すようにリードインエリアＬＩD の形成が完了したことを表しており、このときシステムコントローラ２５はステツプＳＰ７に移つて当該データフオーマツト（ＤＤＳフオーマツト）による磁気テープの初期化処理手順を終了する。
【００４０】
このようにしてシステムコントローラ２５は、テープの先頭部分ＢＯＭから既存データの消去及び新たな識別コード（sub-ID) の記録を行つた後（ステツプＳＰ３）、リードインエリアＬＩD を形成することにより、図６（Ｃ）について上述したような既存のＤＡＴフオーマツトによるリードインエリアＬＩA と、新たな初期化によるＤＤＳフオーマツトのリードインエリアＬＩD との混在が生じることを回避することができる。
【００４１】
（３）オーデイオフオーマツトによる記録媒体の初期化
データストリーマ装置２１のシステムコントローラ２５は、メカニズム部３５にカセツトテープが装填されると、当該カセツトテープ内の磁気テープに対してデータフオーマツト（ＤＤＳフオーマツト）又はオーデイオフオーマツト（ＤＡＴオーデイオフオーマツト）による初期化を実行する。この場合、ユーザが所定の入力手段（図示せず）によつてＤＡＴオーデイオフオーマツトを指定することにより、システムコントローラ２５は磁気テープに対して図４に示すＤＡＴオーデイオフオーマツトでの初期化を実行開始する。
【００４２】
すなわちシステムコントローラ２５はステツプＳＰ１１から当該処理手順に入り、ステツプＳＰ１２において磁気テープをリーダテープを除く先頭部分ＢＯＭまで巻き戻す。この場合、メカニズム３５に設けられた例えば光学検出器等を用いてリーダテープを検出することにより、当該テーダテープに続く磁気テープの先頭位置ＢＯＭが検出される。
【００４３】
この実施の形態の場合、装填された磁気テープには図５（Ａ）に示すように、既にＤＤＳフオーマツトでコンピユータ用のデータが記録されているものとする。ステツプＳＰ１２において磁気テープが先頭位置まで巻き戻されると、システムコントローラ２５はステツプＳＰ１３に移つて、既存のＤＤＳフオーマツト用のデバイスエリアＤＥＶ及びリードインエリアＬＩD （図５（Ａ））のデータ（識別コード（sub-ID) 等）を消去しながら、当該消去された領域にＤＡＴオーデイオフオーマツトの識別コード（sub-ID) を記録することにより、ＤＡＴオーデイオフオーマツトのリードインエリアＬＩA を形成して行く。
【００４４】
さらにシステムコントローラ２５は、続くステツプＳＰ１４に移つてＤＡＴオーデイオフオーマツトの識別コード（sub-ID) を記録中の領域が、ＤＤＳフオーマツトで決められているリードインエリアＬＩD の終端部分ＥＯＬD （図５（Ａ））に達しているか否かを判断する。ここで、ＤＤＳフオーマツトにおいてデバイスエリアＤＥＶの長さはテープ長で決められており、メカニズム部３５（図１）の磁気テープ走行用リールに設けられたＦＧ(Frequency Generator) からの出力をカウントすることによつて当該デバイスエリアＤＥＶの終端ＢＯＴを検出することができる。
【００４５】
また、ＤＤＳフオーマツトのリードインエリアＬＩD （図５（Ａ））の長さは、当該リードインエリアＬＩD に記録されるフレーム数で規定されており、システムコントローラ２５は当該フレーム数をメカニズム部３５（図１）の磁気テープ走行用リールに設けられたＦＧ(Frequency Generator) からの出力カウント数に換算することにより、リードインエリアＬＩD の長さを検出することができる。
【００４６】
従つてシステムコントローラ２５は、ＤＤＳフオーマツトでのデバイスエリアＤＥＶ及びリードインエリアＬＩD （図５（Ａ））を含めたテープ長を磁気テープ走行用リールに設けられたＦＧ(Frequency Generator) からの出力カウント数で監視することによつて、リードインエリアＬＩD の終端の物理的位置を検出することができる。
【００４７】
従つて、ステツプＳＰ１４において否定結果が得られると、このことはＤＡＴオーデイオフオーマツトの識別コード（sub-ID) を記録中の磁気テープが未だＤＤＳフオーマツトでの既存のリードインエリアＬＩD （図５（Ａ））の終端位置ＥＯＬD に達していないことを表しており、このときシステムコントローラ２５は当該処理ステツプＳＰ１４の判断処理を、肯定結果が得られるまで繰り返す。
【００４８】
ステツプＳＰ１４において肯定結果が得られると、このことはＤＡＴオーデイオフオーマツトの識別コード（sub-ID) を記録中の磁気テープがＤＤＳフオーマツトでの既存のリードインエリアＬＩD の終端位置ＥＯＬD に達したこと、すなわち図５（Ｂ）に示すように、ＤＡＴオーデイオフオーマツトのリードインエリアＬＩA の形成が、既存のＤＤＳフオーマツトのデバイスエリアＤＥＶ及びリードインエリアＬＩD （図５（Ａ））に亘つて完了したことを表しており、このときシステムコントローラ２５はステツプＳＰ１５に移つて当該オーデイオフオーマツト（ＤＡＴオーデイオフオーマツト）による磁気テープの初期化処理手順を終了する。
【００４９】
このようにしてシステムコントローラ２５は、テープの先頭部分ＢＯＭから既存のＤＤＳフオーマツトのデバイスエリアＤＥＶ及びリードインエリアＬＩD に対してデータの消去及び新たなＤＡＴオーデイオフオーマツトの識別コード（sub-ID) の記録を行うことにより、図６（Ｃ）について上述したような既存のＤＤＳフオーマツトによるリードインエリアＬＩD と、新たな初期化によるＤＡＴオーデイオフオーマツトのリードインエリアＬＩA との混在が生じることを回避することができる。
【００５０】
（４）実施の形態の動作及び効果
以上の構成において、オーデイオモード及びデータモードを切換可能なデータストリーマ装置２１は、装填される磁気テープに対して初期化を行う場合、ＤＤＳフオーマツトのデバイスエリアＤＥＶ及びリードインエリアＬＩD （図３（Ｂ）及び図５（Ａ））をすべて含むテープ長に亘つて、磁気テープに残る既存データを消去するとともにそのとき指定されたモードでの初期化を行う。
【００５１】
すなわち、ＤＤＳフオーマツトによる初期化を行う場合（図３（Ｂ））、当該ＤＤＳフオーマツトとして必要なデバイスエリアＤＥＶ及びリードインエリアＬＩD のすべての領域に亘つて磁気テープの既存データ（図３（Ａ））を消去しながら、新たなＤＤＳフオーマツトの識別コード（sub-ID) 等を記録して行く。
【００５２】
これにより、初期化が終了した磁気テープには、ＤＤＳフオーマツトでのリードインエリアＬＩD より前には既存の（図３の場合ＤＡＴオーデイオフオーマツトの）識別コード等の初期化データが存在しないことになる。従つて、当該ＤＤＳフオーマツトで初期化が終了した磁気テープはＤＤＳフオーマツトで初期化された記録媒体であることが確実に認識される。
【００５３】
これに対して、ＤＡＴオーデイオフオーマツトによる処理化を行う場合（図５（Ｂ））、当該ＤＡＴオーデイオフオーマツトとして必要なリードインエリアＬＩA のすべての領域に亘つて磁気テープの既存データ（図５（Ａ））を消去しながら、新たなＤＡＴオーデイオフオーマツトの識別コード（sub-ID) 等を記録して行く。
【００５４】
これにより、初期化が終了した磁気テープには、ＤＤＳフオーマツトによるリードインエリアＬＩD の形成位置に当該リードインエリアＬＩD が存在しないことになる。従つて、当該ＤＡＴオーデイオフオーマツトによる初期化が終了した磁気テープはＤＡＴオーデイオフオーマツトで初期化された記録媒体であることが確実に認識される。
【００５５】
かくして以上の構成によれば、磁気テープに残る既存データのうち、フオーマツト確認のためのテープ位置に存在する既存データを新たな初期化時に消去することにより、新たな初期化後においてフオーマツトの誤検出を確実に回避することができる。
【００５６】
（５）他の実施の形態
なお上述の実施の形態においては、ＤＤＳフオーマツト及びＤＡＴオーデイオフオーマツトを切り換えて初期化する場合について述べたが、本発明はこれに限らず、他の種々のフオーマツト間で初期化を行う場合に広く適用することができる。
【００５７】
また上述の実施の形態においては、記録媒体として磁気テープを用いる場合について述べたが、本発明はこれに限らず、要は記録領域の先頭位置から順次データを記録して行くとともに、先頭位置に初期化データを記録するようになされた記録媒体に広く適用することができる。
【００５８】
また上述の実施の形態においては、データストリーマ装置に本発明を適用したた場合について述べたが、本発明はこれに限らず、他の種々の記録再生装置に広く適用することができる。
【００５９】
【発明の効果】
上述のように本発明によれば、基準位置から所定長の任意領域を空けて第１のフオーマツトによる初期化領域を所定長形成するようになされた第１の初期化方法によつて、基準位置から任意領域と第１のフオーマツトによる初期化領域とを合わせた長さ以下の長さで第２のフオーマツトによる初期化領域を形成するようになされた第２の初期化方法で初期化されている記録媒体を初期化する際に、任意領域に記録されている既存のデータを消去して、第１のフオーマツトによる初期化領域を形成するようにしたことにより、第１の初期化方法で初期化後の記録媒体に第２のフオーマツトによる初期化領域が残ることを回避することができ、かくして、第２のフオーマツトによる初期化領域に記録されていた既存の初期化データが残ることを回避し得る。また本発明によれば、基準位置から所定長の任意領域を空けて第１のフオーマツトによる初期化領域を所定長形成するようになされた第１の初期化方法で初期化されている記録媒体を、基準位置から第２のフオーマツトによる初期化領域を形成するようになされた第２の初期化方法によつて初期化する際に、第２の初期化領域を、任意領域と第１のフオーマツトによる初期化領域とを合わせた長さ以上の長さで形成するようにしたことにより、第２の初期化方法で初期化後の記録媒体に第１のフオーマツトによる初期化領域が残ることを回避することができ、かくして第１のフオーマツトによる初期化領域に記録されていた既存の初期化データが残ることを回避し得る。
【図面の簡単な説明】
【図１】本発明によるデータストリーマ装置を用いてデータ記録再生システムの全体構成を示すブロツク図である。
【図２】データフオーマツトによる初期化処理手順を示すフローチヤートである。
【図３】データフオーマツトによる初期化の説明に供する略線図である。
【図４】オーデイオフオーマツトによる初期化処理手順を示すフローチヤートである。
【図５】オーデイオフオーマツトによる初期化の説明に供する略線図である。
【図６】従来の初期化の説明に供する略線図である。
【符号の説明】
１０……データ記録再生システム、１１……ホストコンピユータ、２１……データストリーマ装置、２４……データコントローラ、２５……システムコントローラ、２８……バツフアＲＡＭ、３１……メカニズムコントローラ、３５……メカニズム部、ＴＡＰＥ……磁気テープ、ＤＥＶ……デバイスエリア、ＬＩA 、ＬＩD ……リードインエリア。
【図１】
0003815635.tif 000002
【図２】
0003815635.tif 000003
【図３】
0003815635.tif 000004
【図４】
0003815635.tif 000005
【図５】
0003815635.tif 000006
【図６】
0003815635.tif 000007